(57)【要約】【課題】風向や風量等の吹出特性の調整を簡単な構造と駆動系統により実現することができる吹出ユニットを提供する。【解決手段】吹出ユニット１０は、吹出特性が異なる複数の吹出口２１ａ〜２１ｆを所定の方向に並べて備え、かつ前記方向に沿った移動によっていずれかの吹出口２１ａ〜２１ｆを選択的に空気の吹出通路に連通させる吹出部材１１と、吹出部材１１を移動させる駆動部１２とを備えている。【選択図】図１
2018096586.tif 000002
【特許請求の範囲】
【請求項１】
吹出特性が異なる複数の吹出口（２１，２３，２４）を所定の方向に並べて備え、かつ前記方向に沿った移動によっていずれかの吹出口（２１，２３，２４）を選択的に空気の吹出通路に連通させる吹出部材（１１）と、
前記吹出部材（１１）を移動させる駆動部（１２）と、を備えている吹出ユニット。
【請求項２】
前記吹出部材（１１）が、所定の軸心（Ｏ）回りに回転移動するものであり、
前記複数の吹出口（２１，２３，２４）が、前記軸心（Ｏ）回りに周方向に並べて設けられている、請求項１に記載の吹出ユニット。
【請求項３】
前記吹出部材（１１）が、前記軸心（Ｏ）を中心とする円形状に形成され、
前記吹出部材（１１）の外周部に、前記駆動部（１２）側に設けられた歯車（１４）に噛み合う複数の歯（１５ａ）が設けられている、請求項２に記載の吹出ユニット。
【請求項４】
前記吹出部材（１１）が、直線移動するものであり、
前記複数の吹出口（２１）が、前記吹出部材（１１）の移動方向に沿って直線状に並べて設けられている、請求項１に記載の吹出ユニット。
【請求項５】
前記吹出特性が風向である、請求項１〜４のいずれか１項に記載の吹出ユニット。
【請求項６】
前記吹出特性が風量である、請求項１〜４のいずれか１項に記載の吹出ユニット。
【請求項７】
前記吹出通路と前記吹出口（２１）との連通面積が調整可能に構成されている、請求項１〜５のいずれか１項に記載の吹出ユニット。
【請求項８】
前記吹出通路は、前記吹出口（２１）と連通される通路出口（１７ａ）を有する出口部材（１７）を備え、
前記吹出口（２１）と前記通路出口（１７ａ）との相対位置を変化させることで前記連通面積が調整可能に構成されている、請求項７に記載の吹出ユニット。
【発明の詳細な説明】
【技術分野】
【０００１】
本発明は、部屋の天井や壁等から室内へ空気を吹き出すための吹出ユニットに関する。
【背景技術】
【０００２】
従来、天井裏等に設置された室内ユニットからダクトを介して調整された空気を送り、天井に形成された吹出開口から室内へ空気を吹き出すタイプの空気調和システムが知られている。
例えば、下記特許文献１に記載された空気調和システムは、室内ユニットと、室内ユニットから延設された吹出ダクトと、吹出ダクトに接続される吹出ユニットとを備えている。吹出ユニットは、複数のパーソナルスペースに応じた複数の吹出開口を備え、各吹出開口毎に風向を調整したり吹出を遮蔽したりすることが可能となっている。
【先行技術文献】
【特許文献】
【０００３】
【特許文献１】特開２００９−１５０５７８号公報
【発明の概要】
【発明が解決しようとする課題】
【０００４】
特許文献１に記載された吹出ユニットの各吹出開口には、風向板が回動自在に設けられ、この風向板を回動させることによって風向の調整と吹出の遮蔽とが行われるようになっている。
そのため、吹出開口毎に風向板と、風向板を回動自在に支持する構造とが必要になると共に、各吹出開口に対して風向板を駆動させるためのモータを設けなければならない。そのため、部品点数が多くなり、モータ等の駆動部品を配置するスペースも広く必要となり、吹出ユニットが大型化する可能性がある。
【０００５】
本発明は、このような実情に鑑みてなされたものであり、風向や風量等の吹出特性の調整を簡単な構造と駆動系統により実現することができる吹出ユニットを提供することを目的とする。
【課題を解決するための手段】
【０００６】
本発明の吹出ユニットは、吹出特性が異なる複数の吹出口を所定の方向に並べて備え、かつ前記方向に沿った移動によっていずれかの吹出口を選択的に空気の吹出通路に連通させる吹出部材と、
前記吹出部材を移動させる駆動部と、を備えているものである。
【０００７】
この構成によれば、所定の方向に沿って吹出部材を移動させることによって空気の吹出通路にいずれかの吹出口を連通させ、当該吹出口から所望の吹出特性で空気を吹き出すことができる。また、吹出部材は、吹出特性の異なる複数の吹出口を形成するだけであるので構造が簡単となり、また、複数の吹出口が並ぶ所定の方向へ吹出部材を移動させればよいので駆動部を少なくすることができる。したがって、吹出ユニットの構造や駆動系統を簡素化することができる。
【０００８】
前記吹出部材は、所定の軸心回りに回転移動するものであり、
前記複数の吹出口は、前記軸心回りに周方向に並べて設けられていることが好ましい。
この構成によれば、吹出部材を所定の軸心回りに回転させることで、各吹出口を選択的に空気の吹出通路に連通させることができる。また、吹出部材を一定の場所で回転させればよいので、吹出部材の移動に必要なスペースを可及的に小さくすることができる。
【０００９】
前記吹出部材は、前記軸心を中心とする円形状に形成され、
前記吹出部材の外周部に、前記駆動部側に設けられた歯車に噛み合う複数の歯が設けられていることが好ましい。
このような構成によって、吹出部材を回転移動させるための構成を簡素化することができる。
【００１０】
前記吹出部材は、直線移動するものであり、
前記複数の吹出口は、前記吹出部材の移動方向に沿って直線状に並べて設けられていてもよい。
この構成によれば、吹出部材を直線移動させることで、各吹出口を選択的に空気の吹出通路に連通させることができる。
【００１１】
前記吹出特性は風向であることが好ましい。
この構成によれば、空気の吹出通路に連通する吹出口を変更することによって風向の調整を行うことができる。
【００１２】
前記吹出特性は風量であってもよい。
この構成によれば、空気の吹出通路に連通する吹出口を変更することによって風量の調整を行うことができる。
【００１３】
前記吹出通路と前記吹出口との連通面積は、調整可能に構成されていることが好ましい。
このような構成によって、吹出口からの風量を調整することが可能となる。
【００１４】
前記吹出通路は、前記吹出口と連通される通路出口を有する出口部材を備え、
前記吹出口と前記通路出口との相対位置を変化させることで前記連通面積が調整可能に構成されていることが好ましい。
このような構成によって、簡単な構成で吹出口からの風量を調整することができる。
【発明の効果】
【００１５】
本発明の吹出ユニットによれば、吹出特性の調整を簡単な構造と駆動系統により実現することができる。
【図面の簡単な説明】
【００１６】
【図１】本発明の第１の実施形態に係る吹出ユニットの斜視図である。
【図２】同吹出ユニットの平面図である。
【図３】同吹出ユニットから空気が吹き出される室内の領域を示す平面説明図である。
【図４】吹出口を選択することによって風向を調整する様子を示す断面説明図である。
【図５】吹出口を選択することによって風向を調整する様子を示す断面説明図である。
【図６】吹出部材における風量の調整を示す平面説明図である。
【図７】第２の実施形態に係る吹出ユニットを示す平面図である。
【図８】同吹出ユニットから空気を吹き出す室内の領域を示す平面説明図である。
【図９】第３の実施形態に係る吹出ユニットを示す平面図である。
【図１０】第４の実施形態に係る吹出ユニットを示す平面図である。
【図１１】第５の実施形態に係る吹出ユニットを示す平面図である。
【図１２】吹出部材の変形例を示す断面説明図である。
【発明を実施するための形態】
【００１７】
以下、図面を参照して本発明の実施の形態を詳細に説明する。
［第１の実施形態］
図１は、本発明の第１の実施形態に係る吹出ユニットの斜視図、図２は、同吹出ユニットの平面図である。
本実施形態の吹出ユニット１０は、温度や湿度等が調整された室内に空気を吹き出すために用いられるものであり、吹出部材１１と、駆動部１２とを備えている。吹出部材１１は円板形状に形成されている。また、吹出部材１１は、例えば室内の天井に設置され、その中心が支軸１１ａによって支持され、支軸１１ａの軸心を回転軸心Ｏとして吹出部材１１が回転自在に設けられている。なお、吹出部材１１は、天井に限らず部屋を形成する壁や床等にも設置することができる。
【００１８】
駆動部１２は、モータ（電動機）１３と、このモータ１３によって回転する駆動歯車１４とを有している。一方、吹出部材１１の外周には、複数の歯１５ａを有する従動歯車１５が設けられ、この従動歯車１５に駆動歯車１４が噛み合っている。モータ１３の作動によって駆動歯車１４を回転させると、従動歯車１５に回転動力が伝達され、吹出部材１１が軸心Ｏ回りに回転する。モータ１３には、ステッピングモータやパルスモータ等のように、吹出部材１１の回転量（回転角度）を制御可能なものが採用される。また、モータ１３は、図示しない制御部によって動作制御される。駆動部１２と吹出部材１１との間には、モータ１３の回転速度を減少させる減速機構が介在していてもよい。また、駆動部１２は、吹出部材１１を支持する支軸１１ａに回転動力を伝達し、支軸１１ａとともに吹出部材１１を回転させるものであってもよい。また、吹出部材１１は、円板形状に限らず、矩形（正方形又は長方形）板形状に形成されていてもよい。
【００１９】
吹出部材１１には、複数の吹出口２１（２１ａ〜２１ｆ）が形成されている。各吹出口２１ａ〜２１ｆは、吹出部材１１の回転軸心Ｏ回りに周方向に間隔をあけて形成されている。
一方、部屋の天井裏には、温度や湿度等が調整された空気を室内に供給するための吹出通路を形成するダクト１６が設けられている。このダクト１６の始端には、例えば空気調和装置の室内ユニットが接続され、ダクト１６の終端には、通路出口１７ａが形成された出口部材１７が設けられている。出口部材１７は、例えばダクト１６の終端開口を塞ぐ板形状に形成され、通路出口１７ａは、出口部材１７を貫通するように形成されている。また、通路出口１７ａは、吹出口２１ａ〜２１ｆよりもやや大きく、吹出部材１１の軸心Ｏを中心とする扇形に形成されている。なお、出口部材１７又はダクト１６には、図１２に示すように、通路出口１７ａに向けて空気の通路を徐々に狭くするようなテーパー形状（図１２（ａ）参照）やノズル形状（図１２（ｂ）参照）を有する部材１９が設けられていてもよい。
【００２０】
複数の吹出口２１ａ〜２１ｆは、駆動部１２により吹出部材１１が回転駆動されることによって、いずれか１つが選択的に通路出口１７ａに連通される。これにより、ダクト１６内の吹出通路を流れる空気が、通路出口１７ａ及び１つの吹出口２１ａ〜２１ｆを介して室内に吹き出される。なお、図示はしていないが、吹出ユニット１０が設置された天井には、通路出口１７ａに連通した吹出口２１ａ〜２１ｆから室内への空気の吹出を許容する開口が形成される。
【００２１】
複数の吹出口２１ａ〜２１ｆは、互いに異なる吹出特性を有している。本実施形態の吹出口２１ａ〜２１ｆは、吹出特性としての風向が互いに異なっている。具体的に、図２に示すように、各吹出口２１ａ〜２１ｆの内部には複数の風向板２２ａ〜２２ｆが設けられ、各吹出口２１ａ〜２１ｆの風向板２２ａ〜２２ｆは互いに向きが異なっている。また、各吹出口２１ａ〜２１ｆは、風向の違いにより室内の異なる領域に対して空気を吹き出すように構成されている。なお、本実施形態では、吹出部材１１に６つの吹出口２１ａ〜２１ｆが形成されているが、その数は、空気が吹き出される室内の領域に応じて適宜変更することができる。
【００２２】
図３は、吹出ユニット１０から空気が吹き出される室内の領域（例えば、空調領域）を示す平面説明図である。
本実施形態の吹出ユニット１０は、室内における特定の領域Ａに対して温度や湿度が調整された空気を吹き出すように構成されている。図３に示す例では、吹出ユニット１０は、ダクト１６の位置を中心とする領域Ａに対して空気を吹き出す。また、吹出ユニット１０は、いずれか１つの吹出口２１ａ〜２１ｆが選択されることによって、領域Ａの全体と、当該領域Ａを４分割した分割領域（Ｉ）〜（ＩＶ）と、ダクト１６の真下の分割領域（Ｖ）との６つの領域のいずれかに空気を吹き出すように構成されている。各分割領域（Ｉ）〜（Ｖ）は、例えば部屋を利用する各個人のデスク、椅子等が配置されたパーソナルスペースとされる。
【００２３】
図４及び図５は、吹出口を選択することによって風向を調整する様子を示す断面説明図である。図４（ａ）は、例えば図２における吹出口２１ａ又は吹出口２１ｂを選択し、分割領域（Ｉ）又は（ＩＩ）に対して斜めに空気を吹き出す様子を示している。図４（ｂ）は、図２における吹出口２１ｃ又は吹出口２１ｄを選択し、分割領域（ＩＩＩ）又は（ＩＶ）に対して斜めに空気を吹き出す様子を示している。
【００２４】
また、図５（ａ）は、図２における吹出口２１ｅを選択し、ダクト１６の真下の分割領域（Ｖ）に空気を吹き出す様子を示している。図５（ｂ）は、図２における吹出口２１ｆを選択し、領域Ａ全体に空気を拡散させて吹き出す様子を示している。
複数の吹出口２１ａ〜２１ｆは、互いに異なる方向を向いている風向板２２ａ〜２２ｆに沿った空気の流れを形成する。そのため、複数の吹出口２１ａ〜２１ｆのいずれかを選択して吹出通路（通路出口１７ａ）に連通させることで、簡単な構成で、室内の特定の領域Ａ全体又は分割領域（Ｉ）〜（Ｖ）に対して空気を吹き出すことができる。
【００２５】
領域Ａ全体及び複数の分割領域（Ｉ）〜（Ｖ）のいずれか１つのみに対して空気を吹き出す場合は、駆動部１２によって吹出部材１１を回転させていずれかの吹出口２１ａ〜２１ｆを通路出口１７ａに連通させ、その後、吹出部材１１の回転を止めた状態に維持する。また、領域Ａ全体及び複数の分割領域（Ｉ）〜（Ｖ）の２つ以上に対して空気を吹き出す場合は、駆動部１２によって吹出部材１１を連続的又は間欠的に回転させながら２つ以上の吹出口２１ａ〜２１ｆを順次通路出口１７ａに連通させればよい。以上のような吹出部材１１の動作は、制御部が駆動部１２を制御することによって実現することができる。また、制御部は、図示しないリモートコントローラからの指示入力に基づいて駆動部１２を制御することができる。
【００２６】
本実施形態では、吹出部材１１が円板状に形成され、その回転軸心Ｏ回りに複数の吹出部材１１が周方向に並べて設けられている。したがって、吹出部材１１を一定の場所で回転させることで風向を調整することができ、吹出部材１１の配置スペース及び移動に必要なスペースを小さくすることができる。
【００２７】
本実施形態では、吹出部材１１の外周に、駆動部１２の駆動歯車１４に噛み合う従動歯車１５が設けられている。そのため、１つの駆動部１２（モータ１３）によって吹出部材１１を回転させて風向を調整することができ、吹出ユニット１０の駆動系統の構成を簡素化することができる。
【００２８】
図６は、吹出部材における風量の調整を示す平面説明図である。
吹出部材１１によって風量を調整するには、ダクト１６における出口部材１７の通路出口１７ａと、吹出部材１１の吹出口２１ａ〜２１ｆとの相対位置（重なり量）を調整することで、両者の連通面積を調整する。これにより、吹出口２１ａ〜２１ｆから吹き出す空気の風量を調整することができる。つまり、本実施形態においては、空気の風向だけでなく風量をも容易に調整することができる。なお、通路出口１７ａは、扇形に形成されることによって吹出口２１ａ〜２１ｆとの連通面積の調整を行いやすくしているが、扇形に限定されるものではなく、円形状等に形成されていてもよい。
【００２９】
［第２の実施形態］
図７は、第２の実施形態に係る吹出ユニットを示す平面図であり、図８は、同吹出ユニットから空気を吹き出す室内の領域を示す平面説明図である。
本実施形態の吹出ユニット１０は、１つのダクト１６から室内の４つの領域Ａ〜Ｄへ空気を吹き出す４つの吹出部材１１を備えている。ダクト１６の終端には、出口部材１７が設けられ、この出口部材１７には、４つの吹出部材１１に対応した４つの通路出口１７ａが形成されている。各吹出部材１１は、複数の吹出口２１ａ〜２１ｄ，２１ｇのいずれかを選択することによって各領域Ａ〜Ｄ全体と、各領域Ａ〜Ｄの分割領域（Ｉ）〜（ＩＶ）とに空気を吹き出すように構成されている。
【００３０】
例えば、各吹出部材１１において、各吹出口２１ａ〜２１ｄからは各領域Ａ〜Ｄにおける（Ｉ）〜（ＩＶ）の分割領域に空気を吹き出し、吹出口２１ｇからは各領域Ａ〜Ｄ全体に空気を吹き出す。吹出口２１ｇは、各吹出口２１ａ〜２１ｄの開口面積を小さくしたもの２１ａ’〜２１ｄ’を寄せ集めた構成であり、各吹出口２１ａ’〜２１ｄ’から各領域（Ｉ）〜（ＩＶ）へ空気を吹き出すことによって各領域Ａ〜Ｄ全体に空気を吹き出すことが可能となっている。
【００３１】
［第３の実施形態］
図９は、第３の実施形態に係る吹出ユニットを示す平面図である。
本実施形態の吹出ユニット１０は、吹出口の吹出特性を、風向ではなく風量としたものである。具体的に、吹出口２３（２３ａ〜２３ｄ）は、その開口面積が互いに異なっている。具体的に、吹出口２３ａは、面積の大きな１つの開口からなり、吹出口２３ｂは、吹出口２３ａよりも総面積が小さい複数（図示例では２つ）の開口からなり、吹出口２３ｃは、吹出口２３ｂよりも総面積が小さい複数（図示例では４つ）の開口からなり、吹出口２３ｄは、吹出口２３ｃよりも総面積が小さい複数（図示例では４つ）の開口からなる。そして、いずれかの吹出口２３ａ〜２３ｄを選択して吹出通路（通路出口１７ａ）に連通させることで風量を調整することが可能である。
【００３２】
［第４の実施形態］
図１０は、第４の実施形態に係る吹出ユニットを示す平面図である。
本実施形態の吹出ユニット１０は、第３の実施形態と同様に、吹出口の吹出特性を風向ではなく風量としたものであり、吹出口２４（２４ａ〜２４ｆ）は、それぞれ互いに開口面積が異なる１つの開口からなっている。したがって、本実施形態においても、いずれかの吹出口２４ａ〜２４ｆを選択して吹出通路に連通させることで、風量を調整することができる。
【００３３】
［第５の実施形態］
図１１は、第５の実施形態に係る吹出ユニットを示す平面図である。
本実施形態の吹出ユニット１０は、吹出部材１１が平面視で長方形状に形成されている。また、吹出部材１１は、その長手方向に沿って移動自在に設けられている。吹出部材１１には、第１の実施形態と同様の複数の吹出口２１（２１ａ〜２１ｆ）が長手方向に沿って直線状に並べて形成されている。各吹出口２１ａ〜２１ｆは、吹出特性として互いに風向が異なっている。
【００３４】
駆動部１２は、モータ１３と、モータ１３によって回転する駆動歯車１４とからなり、この駆動歯車１４は、吹出部材１１の長辺に形成されたラック１８の複数の歯に噛み合っている。したがって、モータ１３を作動することによって駆動歯車１４を介して吹出部材１１に動力を伝達し、吹出部材１１を長手方向に沿って往復移動させることができる。そして、吹出部材１１を移動させることによって直線状に並ぶ複数の吹出口２１ａ〜２１ｆのいずれかを吹出通路（通路出口）に連通させ、風向を調整することができる。
【００３５】
本実施形態においても、１つの駆動部１２によって風向を調整することができるので、駆動系統を簡素化することができる。また、吹出部材１１の長手方向に関しては、吹出部材１１の配置スペース（移動スペース）を広く確保する必要があるが、短辺に沿った幅方向（短手方向）に関しては、吹出部材１１の配置スペースを小さくすることができる利点がある。
【００３６】
なお、本実施形態において、吹出部材１１には、開口面積が異なる複数の吹出口が直線状に並べて形成されていてもよい。これにより、吹出部材１１を直線移動させていずれかの吹出口を吹出通路に連通させることで、風量の調整を行うことができる。
【００３７】
本発明は、上記実施の形態に限定されず、特許請求の範囲に記載された発明の範囲内において適宜変更することができる。
例えば、本発明の吹出ユニット１０は、空気調和装置に限らず、換気装置、調湿装置にも適用することができる。
【符号の説明】
【００３８】
１０      ：吹出ユニット
１１      ：吹出部材
１２      ：駆動部
１５ａ    ：歯
１７      ：出口部材
１７ａ    ：通路出口
２１（２１ａ〜２１ｇ）：吹出口
２３（２３ａ〜２３ｄ）：吹出口
２４（２４ａ〜２４ｆ）：吹出口
Ｏ        ：軸心
【図１】
2018096586.tif 000003
【図２】
2018096586.tif 000004
【図３】
2018096586.tif 000005
【図４】
2018096586.tif 000006
【図５】
2018096586.tif 000007
【図６】
2018096586.tif 000008
【図７】
2018096586.tif 000009
【図８】
2018096586.tif 000010
【図９】
2018096586.tif 000011
【図１０】
2018096586.tif 000012
【図１１】
2018096586.tif 000013
【図１２】
2018096586.tif 000014